(57)【特許請求の範囲】
【請求項１】
スマートホームデバイスに対する制御権限を取得するための、ユーザのトリガー操作を検出するステップと、
所定の距離範囲内に関連のあるウェアラブルデバイスが存在するか否かを判断するステップと、
所定の距離範囲内に関連のあるウェアラブルデバイスが存在すると判断される場合、前記スマートホームデバイスのみに対する制御権限を開放するステップとを含み、
前記関連のあるウェアラブルデバイスは、前記スマートホームデバイスに対する制御権限を含むウェアラブルデバイスであることを特徴とするスマートホームデバイスの制御方法。
【請求項２】
前記ユーザのトリガー操作は、ユーザが端末のスクリーンに対するタッチ又はスライド操作であり、前記タッチ又はスライド操作のタッチポイントは、前記スマートホームデバイスに対応するトリガー範囲内のポイントを含むことを特徴とする請求項１に記載のスマートホームデバイスの制御方法。
【請求項３】
前記ユーザのトリガー操作は、ユーザが端末のロック・スクリーンに対するタッチ又はスライド操作であり、前記タッチ又はスライド操作のタッチポイントは、前記スマートホームデバイスに対応するトリガー範囲内のポイントを含むことを特徴とする請求項１に記載のスマートホームデバイスの制御方法。
【請求項４】
所定の距離範囲内に関連のあるウェアラブルデバイスが存在するか否かを判断するステップは、
送信パラメータが前記所定の距離範囲と対応するプローブ信号を送信するステップと、
対応する応答信号を受信したか否かに基づいて、関連のあるウェアラブルデバイスが存在するか否かを判断するステップとを含み、
対応する応答信号を受信した場合、前記応答信号の送信側を関連のあるウェアラブルデバイスとすることを特徴とする請求項１に記載のスマートホームデバイスの制御方法。
【請求項５】
所定の距離範囲内に関連のあるウェアラブルデバイスが存在するか否かを判断するステップは、
プローブ信号を送信するステップと、
対応する応答信号を受信した場合、前記応答信号の強度が所定の範囲内にあるか否かを判断するステップと、
前記応答信号の強度が所定の範囲内にある場合、前記応答信号の送信側を関連のあるウェアラブルデバイスとするステップとを含むことを特徴とする請求項１に記載のスマートホームデバイスの制御方法。
【請求項６】
所定の距離範囲内に関連のあるウェアラブルデバイスが存在するか否かを判断するステップは、
送信パラメータが前記所定の距離範囲と対応するプローブ信号を送信するステップと、
対応する応答信号を受信した場合、前記応答信号に所定のデバイスＩＤが含まれているか否かに基づいて、前記応答信号の送信側が関連のあるウェアラブルデバイスであるか否かを判断するステップとを含み、
前記応答信号に所定のデバイスＩＤが含まれている場合、前記応答信号の送信側を関連のあるウェアラブルデバイスとすることを特徴とする請求項１に記載のスマートホームデバイスの制御方法。
【請求項７】
前記スマートホームデバイスに対する制御権限を開放するステップは、
今回の制御操作が終了するまで、前記スマートホームデバイスに対する制御権限を開放するステップを含むことを特徴とする請求項１に記載のスマートホームデバイスの制御方法。
【請求項８】
更に、前記スマートホームデバイスに対する制御権限を開放した後、前記スマートホームデバイスの制御操作インタフェースに入るステップを含むことを特徴とする請求項１に記載のスマートホームデバイスの制御方法。
【請求項９】
スマートホームデバイスに対する制御権限を取得するためのユーザのトリガー操作を検出する検出ユニットと、
所定の距離範囲内に関連のあるウェアラブルデバイスが存在するか否かを判断する判断ユニットと、
判断した結果、所定の距離範囲内に関連のあるウェアラブルデバイスが存在すると判断される場合、前記スマートホームデバイスのみに対する制御権限を開放する開放ユニットとを備え、
前記関連のあるウェアラブルデバイスは、前記スマートホームデバイスに対する制御権限を含むウェアラブルデバイスであることを特徴とするスマートホームデバイスの制御装置。
【請求項１０】
前記ユーザのトリガー操作は、ユーザが端末のスクリーンに対するタッチ又はスライド操作であり、前記タッチ又はスライド操作のタッチポイントは、前記スマートホームデバイスに対応するトリガー範囲内のポイントを含むことを特徴とす請求項９に記載のスマートホームデバイスの制御装置。
【請求項１１】
前記ユーザのトリガー操作は、ユーザが端末のロック・スクリーンに対するタッチ又はスライド操作であり、前記タッチ又はスライド操作のタッチポイントは、前記スマートホームデバイスに対応するトリガー範囲内のポイントを含むことを特徴とする請求項９に記載のスマートホームデバイスの制御装置。
【請求項１２】
前記判断ユニットは、
送信パラメータが前記所定の距離範囲と対応するプローブ信号を送信する第１送信サブユニットと、
対応する応答信号を受信したか否かに基づいて、関連のあるウェアラブルデバイスが存在するか否かを判断する第１判断サブユニットとを有し、
対応する応答信号を受信した場合、前記応答信号の送信側を関連のあるウェアラブルデバイスとすることを特徴とする請求項９に記載のスマートホームデバイスの制御装置。
【請求項１３】
前記判断ユニットは、
プローブ信号を送信する第２送信サブユニットと、
対応する応答信号を受信した場合、前記応答信号の強度が所定の範囲内にあるか否かを判断する第２判断サブユニットとを有し、
前記応答信号の強度が所定の範囲内にある場合、前記応答信号の送信側を関連のあるウェアラブルデバイスとすることを特徴とする請求項９に記載のスマートホームデバイスの制御装置。
【請求項１４】
前記判断ユニットは、
送信パラメータが前記所定の距離範囲と対応するプローブ信号を送信する第３送信サブユニットと、
対応する応答信号を受信した場合、前記応答信号に所定のデバイスＩＤが含まれているか否かに基づいて、前記応答信号の送信側が関連のあるウェアラブルデバイスであるか否かを判断する第３判断サブユニットとを有し、
前記応答信号に所定のデバイスＩＤが含まれている場合、前記応答信号の送信側を関連のあるウェアラブルデバイスとすることを特徴とする請求項９に記載のスマートホームデバイスの制御装置。
【請求項１５】
前記開放ユニットは、
今回の制御操作が終了する前に、前記スマートホームデバイスに対する制御権限を開放する権限開放サブユニットを有することを特徴とする請求項９に記載のスマートホームデバイスの制御装置。
【請求項１６】
更に、前記スマートホームデバイスに対する制御権限を開放した後、前記スマートホームデバイスの制御操作インタフェースに入るインタフェース切換ユニットを備えることを特徴とする請求項９に記載のスマートホームデバイスの制御装置。
【請求項１７】
プロセッサと、
プロセッサが実行可能なコマンドを記憶するためのメモリとを備え、
前記プロセッサは、
スマートホームデバイスに対する制御権限を取得するための、ユーザのトリガー操作を検出し、
所定の距離範囲内に関連のあるウェアラブルデバイスが存在するか否かを判断し、
所定の距離範囲内に関連のあるウェアラブルデバイスが存在すると判断される場合、前記スマートホームデバイスのみに対する制御権限を開放するように構成され、
前記関連のあるウェアラブルデバイスは、前記スマートホームデバイスに対する制御権限を含むウェアラブルデバイスであることを特徴とする電子デバイス。
【請求項１８】
プロセッサに実行されることにより、請求項１から請求項８のいずれかに記載のスマートホームデバイスの制御方法を実現するプログラム。
【請求項１９】
請求項１８に記載のプログラムが記録された記録媒体。
【発明の詳細な説明】
【相互参照】
【０００１】
本願は出願番号が２０１５１０１３４５５４．５であって、出願日が２０１５年３月２５日である中国特許出願に基づき、優先権を主張し、当該中国特許出願の全ての内容を本願に援用する。
【技術分野】
【０００２】
本発明はスマートホーム技術分野に関し、特にスマートホームデバイスの制御方法、装置、電子デバイス、プログラム及び記憶媒体に関する。
【背景技術】
【０００３】
スマートホーム（Ｓｍａｒｔ  Ｈｏｍｅ、又はＨｏｍｅ  Ａｕｔｏｍａｔｉｏｎ）は住宅をフラットホームとし、総合配線技術、ネットワーク通信技術、安全防犯技術、自動制御技術、オーディオ・ビデオ技術等を利用してホーム生活に関する施設を集積して、高効率な住宅施設と家庭の日程事務の管理システムを構築し、ホームの安全性、利便性、快適性、芸術性を向上させ、且つ環境にやさしく省エネな居住環境を実現する。
【０００４】
スマートホームの設計と構想に基づいて、ユーザはいつでもどこでも、端末を通じてスマートホームデバイスへの遠距離制御を実現することができる。
【発明の概要】
【０００５】
本発明は従来技術における問題点を解決するためのスマートホームデバイスの制御方法、装置、電子デバイス、プログラム及び記憶媒体を提供する。
【０００６】
本発明の実施例の第１の様態によれば、スマートホームデバイスに対する制御権限を取得するための、ユーザのトリガー操作を検出するステップと、所定の距離範囲内に関連のあるウェアラブルデバイスが存在するか否かを判断するステップと、所定の距離範囲内に関連のあるウェアラブルデバイスが存在すると判断される場合、前記スマートホームデバイスに対する制御権限を開放するステップとを含むスマートホームデバイスの制御方法を提供する。
【０００７】
好ましくは、前記ユーザのトリガー操作は、ユーザが端末のスクリーンに対するタッチ又はスライド操作であり、前記タッチ又はスライド操作のタッチポイントは、前記スマートホームデバイスに対応するトリガー範囲内のポイントを含む。
【０００８】
好ましくは、前記ユーザのトリガー操作は、ユーザが端末のロック・スクリーンに対するタッチ又はスライド操作であり、前記タッチ又はスライド操作のタッチポイントは、前記スマートホームデバイスに対応するトリガー範囲内のポイントを含む。
【０００９】
好ましくは、所定の距離範囲内に関連のあるウェアラブルデバイスが存在するか否かを判断するステップは、
送信パラメータが前記所定の距離範囲と対応するプローブ信号を送信するステップと、
対応する応答信号を受信したか否かに基づいて、関連のあるウェアラブルデバイスが存在するか否かを判断するステップとを含み、
対応する応答信号を受信した場合、前記応答信号の送信側を関連のあるウェアラブルデバイスとする。
【００１０】
好ましくは、所定の距離範囲内に関連のあるウェアラブルデバイスが存在するか否かを判断するステップは、
プローブ信号を送信するステップと、
対応する応答信号を受信した場合、前記応答信号の強度が所定の範囲内にあるか否かを判断するステップと、
前記応答信号の強度が所定の範囲内にある場合、前記応答信号の送信側を関連のあるウェアラブルデバイスとするステップとを含む。
【００１１】
好ましくは、所定の距離範囲内に関連のあるウェアラブルデバイスが存在するか否かを判断するステップは、
送信パラメータが前記所定の距離範囲と対応するプローブ信号を送信するステップと、
対応する応答信号を受信した場合、前記応答信号に所定のデバイスＩＤが含まれているか否かに基づいて、前記応答信号の送信側が関連のあるウェアラブルデバイスであるか否かを判断するステップとを含み、
前記応答信号に所定のデバイスＩＤが含まれている場合、前記応答信号の送信側を関連のあるウェアラブルデバイスとする。
【００１２】
好ましくは、前記スマートホームデバイスに対する制御権限を開放するステップは、
今回の制御操作が終了するまで、前記スマートホームデバイスに対する制御権限を開放するステップを含む。
【００１３】
好ましくは、前記方法は、更に、前記スマートホームデバイスに対する制御権限を開放した後、前記スマートホームデバイスの制御操作インタフェースに入るステップを含む。
【００１４】
本発明の実施例の第２の様態によれば、スマートホームデバイスに対する制御権限を取得するためのユーザのトリガー操作を検出する検出ユニットと、
所定の距離範囲内に関連のあるウェアラブルデバイスが存在するか否かを判断する判断ユニットと、
判断した結果、所定の距離範囲内に関連のあるウェアラブルデバイスが存在すると判断される場合、前記スマートホームデバイスに対する制御権限を開放する開放ユニットとを備えるスマートホームデバイスの制御装置を提供する。
【００１５】
好ましくは、前記ユーザのトリガー操作は、ユーザが端末のスクリーンに対するタッチ又はスライド操作であり、前記タッチ又はスライド操作のタッチポイントは、前記スマートホームデバイスに対応するトリガー範囲内のポイントを含む。
【００１６】
好ましくは、前記ユーザのトリガー操作は、ユーザが端末のロック・スクリーンに対するタッチ又はスライド操作であり、前記タッチ又はスライド操作のタッチポイントは、前記スマートホームデバイスに対応するトリガー範囲内のポイントを含む。
【００１７】
好ましくは、前記判断ユニットは、
送信パラメータが前記所定の距離範囲と対応するプローブ信号を送信する第１送信サブユニットと、
対応する応答信号を受信したか否かに基づいて、関連のあるウェアラブルデバイスが存在するか否かを判断する第１判断サブユニットとを有し、
対応する応答信号を受信した場合、前記応答信号の送信側を関連のあるウェアラブルデバイスとする。
【００１８】
好ましくは、前記判断ユニットは、
プローブ信号を送信する第２送信サブユニットと、
対応する応答信号を受信した場合、前記応答信号の強度が所定の範囲内にあるか否かを判断する第２判断サブユニットとを有し、
前記応答信号の強度が所定の範囲内にある場合、前記応答信号の送信側を関連のあるウェアラブルデバイスとする。
【００１９】
好ましくは、前記判断ユニットは、
送信パラメータが前記所定の距離範囲と対応するプローブ信号を送信する第３送信サブユニットと、
対応する応答信号を受信した場合、前記応答信号に所定のデバイスＩＤが含まれているか否かに基づいて、前記応答信号の送信側が関連のあるウェアラブルデバイスであるか否かを判断する第３判断サブユニットとを有し、
前記応答信号に所定のデバイスＩＤが含まれている場合、前記応答信号の送信側を関連のあるウェアラブルデバイスとする。
【００２０】
好ましくは、前記開放ユニットは、
今回の制御操作が終了する前に、前記スマートホームデバイスに対する制御権限を開放する権限開放サブユニットを有する。
【００２１】
好ましくは、更に、前記スマートホームデバイスに対する制御権限を開放した後、前記スマートホームデバイスの制御操作インタフェースに入るインタフェース切換ユニットを備える。
【００２２】
本発明の実施例の第３の態様によれば、
プロセッサと、
プロセッサが実行可能なコマンドを記憶するためのメモリとを備え、
前記プロセッサは、
スマートホームデバイスに対する制御権限を取得するための、ユーザのトリガー操作を検出し、
所定の距離範囲内に関連のあるウェアラブルデバイスが存在するか否かを判断し、
所定の距離範囲内に関連のあるウェアラブルデバイスが存在すると判断される場合、前記スマートホームデバイスに対する制御権限を開放するように構成される電子デバイスを提供する。
本発明の実施例の第４の態様によれば、プロセッサに実行されることにより、前記スマートホームデバイスの制御方法を実現する記録媒体に記録されたプログラムを提供する。
本発明の実施例の第５の態様によれば、前記プログラムが記録された記録媒体を提供する。
【００２３】
本発明の実施例が提供する技術案は下記のような有益な効果を含むことができる。
【００２４】
本発明はスマートホームデバイスに対する制御権限を管理することで、スマートホームデバイスの安全性の向上に役立ち、同時に、ウェアラブルデバイスに対する検出を結合することで、デバイスの安全性を確保すると同時に、ユーザの操作を簡略化し、ユーザの使用体験を向上させることができる。
【００２５】
また、上記の一般的な説明及び以下の詳細な説明は単なる例示及び解釈に過ぎず、本発明を限定するものではないことを理解すべきである。
【図面の簡単な説明】
【００２６】
本願の図面は明細書に取り込まれて明細書の一部を構成し、本発明に合致する実施例を示し、また、明細書と共に本発明の原理の解釈に用いられる。
【００２７】
【図１】一つの例示的な実施例にかかるスマートホームデバイスの制御方法のフローチャートである。
【図２】一つの例示的な実施例にかかる端末のロック・スクリーンの模式図である。
【図３】一つの例示的な実施例にかかる端末のロック・スクリーンの模式図である。
【図４】一つの例示的な実施例にかかるスマートホームデバイスの制御インタフェースの模式図である。
【図５】一つの例示的な実施例にかかるスマートホームデバイスの制御インタフェースを起動する模式図である。
【図６】一つの例示的な実施例にかかるウェアラブルデバイスをスキャニングする模式図である。
【図７】一つの例示的な実施例にかかるスマートホームデバイスの制御装置のブロック図である。
【図８】一つの例示的な実施例にかかるスマートホームデバイスの制御装置のブロック図である。
【図９】一つの例示的な実施例にかかるスマートホームデバイスの制御装置のブロック図である。
【図１０】一つの例示的な実施例にかかるスマートホームデバイスの制御装置のブロック図である。
【図１１】一つの例示的な実施例にかかるスマートホームデバイスの制御装置のブロック図である。
【図１２】一つの例示的な実施例にかかるスマートホームデバイスの制御装置のブロック図である。
【図１３】一つの例示的な実施例にかかるスマートホームデバイスの制御のための装置の構造模式図である。
【発明を実施するための形態】
【００２８】
ここで例示的な実施例について詳細に説明を行うが、その例示は図面において示されている。以下の説明が図面に関する場合、特に示さない限り、異なる図面の中の同一の数字は同一又は類似の要素を表す。また、以下の例示的な実施例で説明する実施形態は、本発明と一致する全ての実施形態を代表するものではなく、これらは特許請求の範囲において詳述した、本発明の一部の態様と一致する装置及び方法の例に過ぎない。
【００２９】
図１は一つの例示的な実施例にかかるスマートホームデバイスの制御方法のフローチャートである。図１に示すように、該方法は端末に使われ、以下のようなステップを含むことができる。
【００３０】
ステップ１０２において、スマートホームデバイスに対する制御権限を取得するための、ユーザのトリガー操作を検出する。
【００３１】
本実施例において、ユーザのトリガー操作は端末スクリーンに対するタッチ操作であってもよく、且つ前記タッチ操作のタッチポイントは前記スマートホームデバイスの表示アイコンのトリガー範囲内に位置する。例えば、図２は端末のロック・スクリーンの模式図であり、仮にユーザが端末においてスマートホームデバイスに対する制御機能を配置した場合、端末のロック・スクリーンにおいて図２に示される表示アイコンが表示されることができ、ユーザは該表示アイコンに対するタッチ操作を通じて、対応するスマートホームデバイスに対する制御を実現することができる。
【００３２】
例えば、図２に示される三つの表示アイコンはそれぞれ、ユーザにより配置される「スマートスピーカー」、「スマートライト」及び「スマートカム」を制御するために使われる。ユーザが「スマートライト」の表示アイコンをタッチ操作した時、仮に該表示アイコンのトリガー範囲が該アイコンの表示範囲であるとすると、タッチポイントと該表示アイコンとの間に重複区域が発生した場合、ユーザが該表示アイコンをトリガーしたと判定することができる。
【００３３】
表示アイコンに対するユーザのトリガー操作を検出した時、従来技術における処理プロセスに基づいて、端末はロック・スクリーンにおいて図３に示されるパスワード入力インタフェースを表示し、ユーザは予め配置したパスワードを該パスワード入力インタフェースに入力して初めて図４に示されるスマートホームデバイスの制御インタフェースに移動することができ、スマートホームデバイスに対する制御操作を実現することができる。プロセスにおいて、端末はインタフェースを切換しなければならず、且つユーザは手動でパスワード入力操作を完成しなければならないので、プロセスが複雑になり且つ時間がかかり、ユーザの使用体験に影響するだけでなく、ユーザが緊急なイベントを処理するのに不利である。従って、本発明は下記のステップを通じて、上述された従来技術の問題点を解決する。
【００３４】
ステップ１０４において、所定の距離範囲内に関連のあるウェアラブルデバイスが存在するか否かを判断する。
【００３５】
ステップ１０６において、ステップ１０４において判断した結果、存在すると判断される場合、即ち所定の距離範囲内に関連のあるウェアラブルデバイスが存在すると判断される場合、前記スマートホームデバイスに対する制御権限を開放する。
【００３６】
上述の実施例から分かるように、本発明はスマートホームデバイスに対する制御権限を管理することで、スマートホームデバイスの安全性の向上に役立ち、同時に、ウェアラブルデバイスに対する検出を結合することで、デバイスの安全性を確保すると同時に、ユーザの操作を簡略化し、ユーザの使用体験を向上させることができる。
【００３７】
１、応用場面
本発明の実施例において、トリガー操作を実行するユーザに対して、端末は実際該ユーザの身分情報を得ようとする。管理権限を有するユーザである場合は、スマートホームデバイスに対する制御を許し、逆の場合は操作制御要求を拒絶する。ウェアラブルデバイスは、例えばスマートブレスレット、スマートメガネ、スマート指輪等のような、ユーザが身につけるスマートデバイスである。従って、ユーザが端末のスクリーンに表示されるアイコンをトリガーする場合、ユーザ及びこれらのウェアラブルデバイスと端末と距離がとても近く、現在操作制御しているユーザとその他ユーザを区別するために利用することができる。
【００３８】
例えば図５に示すように、仮に端末がスマートフォンであり、ウェアラブルデバイスがユーザの手首につけたスマートブレスレットである場合、ユーザが端末のロック・スクリーン上の表示アイコンを指でタッチ（ここでのタッチ操作は例示に過ぎず、当然ながら例えばスライド操作のようなその他操作形式を採用することもでき、本発明はこれを制限しない）した時、スマートフォンはスマートブレスレットが所定の距離範囲内にあり、且つスマートブレスレットが関連のあるウェアラブルデバイスであることを検出した場合、現在操作制御しているユーザが管理権限を有すると判定して、例えば直接図４に示される操作制御インタフェースに移動するように、スマートホームデバイスに対する該ユーザの制御権限を開放することができる。
【００３９】
２、所定の距離範囲
上記のように、図５に示される「スマートフォン−−スマートブレスレット」間の協力関係を例にする。図６に示すように、仮にスマートフォンの中に通信部材１が配置され、スマートブレスレットの中には通信部材２が配置されたとする場合、一つの例示的な実施例として、通信部材１と通信部材２はブルートゥース通信部材であってもよい。スマートフォンはユーザがロック・スクリーン上の表示アイコンに対するトリガー操作を検出した後、通信部材１を通じて外部にプローブ信号を送信し、対応して、スマートフォンは複数の方法でスマートブレスレットのリアルタイム距離を識別することができ、下記において、そのうちの二つの可能な方法を紹介する。
【００４０】
１）送信パラメータを配置
通信部材１はプローブ信号を送信するとき、プローブ信号の送信パラメータを配置することで、プローブ信号の送信パラメータが所定の距離範囲に対応されるようにする。例えば、送信パラメータは送信電力（又は送信強度）であってもよく、且つ送信電力（又は送信強度）は所定の距離範囲とは正相関であり、即ち送信電力（又は送信強度）が大きいほど、対応する所定の距離範囲が大きい。
【００４１】
スマートブレスレットがスマートフォンの所定の距離範囲内に位置する場合、通信部材２は通信部材１からの送信信号を受信し、且つ対応する応答信号を返信することができる。
【００４２】
２）信号強度の感知
通信部材１はプローブ信号を送信した後に、スマートブレスレットが通信部材２を通じて返信した応答信号を受信する。この場合、通信部材１は受信した応答信号の信号強度を測定し、これに基づいてスマートブレスレットとスマートフォンの間のリアルタイム距離を確定する。検出された信号強度とリアルタイム距離の間は逆相関であり、即ち信号強度が大きいほど、対応するリアルタイム距離が小さい。
【００４３】
スマートブレスレットがスマートフォンの所定の距離範囲内に位置する場合、通信部材１が通信部材２から送信される応答信号を受信した時、該応答信号の信号強度は所定の範囲内にあることである。
【００４４】
当然ながら、上述した１）送信パラメータの配置と２）信号強度の感知の判断方法を結合して、スマートブレスレットとスマートフォンとの間のリアルタイム距離を共同で確定することもでき、ここでは繰り返し説明しない。
【００４５】
３、関連のあるウェアラブルデバイス
例示的な実施例として、端末はプローブ信号を送信した後、対応する応答信号を受信したか否かに基づいて、関連のあるウェアラブルデバイスが存在するか否かを判断することができ、ここで、対応する応答信号を受信した場合、前記応答信号の送信側を関連のあるウェアラブルデバイスとする。ここで、プローブ信号はウェアラブルデバイスの特有の通信プロトコルを採用することができ、非ウェアラブルデバイスをスキャニングすることで引き起こされる誤判別を避ける。
【００４６】
他の例示的な実施例として、対応する応答信号を受信した場合、前記応答信号の強度が所定の範囲内にあるか否かを判断し、前記応答信号の強度が所定の範囲内にある場合、前記応答信号の送信側を関連のあるウェアラブルデバイスとする。
【００４７】
他の例示的な実施例として、対応する応答信号を受信した場合、端末は、前記応答信号に所定のデバイスＩＤが含まれているか否かに基づいて、前記応答信号の送信側が関連のあるウェアラブルデバイスであるか否かを判断することができ、ここで、前記応答信号に所定のデバイスＩＤが含まれている場合、前記応答信号の送信側を関連のあるウェアラブルデバイスとする。
【００４８】
該実施例において、端末とウェアラブルデバイスの間は予めマッチングする必要があり、且つ端末はマッチングされたウェアラブルデバイスのデバイスＩＤを記録する。図５に示される場面を例にすると、スマートフォンの通信部材１はスマートブレスレットが通信部材２を通じて返信した応答メッセージを受信し、且つ該応答メッセージに含まれたデバイスＩＤがスマートフォンに記録されている場合、両者が事前にマッチング操作を完成したことを表し、対応するユーザに制御権限を開放することができる。デバイスＩＤを検証することで、更にユーザがマッチングしなかったウェアラブルデバイスを利用して端末について身分詐欺をすることを避けることができ、安全性の向上に役立つ。
【００４９】
当然ながら、端末は、「関連のあるウェアラブルデバイス」を識別するために、上述した複数実施例のうちのいずれかを選択、又は複数を組み合わせることができ、ここでは繰り返し説明しない。
【００５０】
４、制御権限の開放
一方、制御権限は制御可能な対象に対する制限を含むことができる。例えば、トリガーされた表示アイコンに対応するスマートホームデバイスのみに対する制御権限を開放する。例えば、図４に示される制御インタフェースにおいて、ユーザが図２においてトリガーしたのがスマートライトに対応する表示アイコンであるため、図４に示される制御インタフェース内で、例えば「状態」スイッチの切換、「光度」の調整などのような、スマートライトを制御することができる。しかし、ユーザが図４の下に示される他のスマートホームデバイスをクリックした場合は、ユーザの身分を再び検証する必要があるため、安全性をより向上させるために役立つ。
【００５１】
当然ながら、制御可能な対象に対する制限は必須ではない。例えば、制限がない場合、ユーザは図４の下の表示アイコンをクリックすることで、対応するスマートホームデバイスの制御インタフェースに切り換え、制御操作を完成することができる。
【００５２】
もう一方、制御権限は制御時限に対する制限を含むことができる。例えば、今回の制御操作が終了するまでのみ、スマートホームデバイスに対する制御権限を開放する。ここで、「今回の制御操作が終了」は複数の解釈を有することができ、例えば、ユーザは図２に示されるトリガー操作を通じて図４に示される制御インタフェースに入った後、図４に示される制御インタフェースを出ること、端末のスクリーンがロックされること、表示アイコンがトリガーされてから所定の時間長さに達すること等、のうちのいずれかを採用することができる。
【００５３】
当然ながら、ユーザが図２に示される端末のインタフェースにおいてスマートホームデバイスをトリガーした後、必ずしも図４に示される制御インタフェースに入るとは限らない。例えば、ユーザが図２における「スマートライト」をトリガーした後、端末は直接該スマートライトに「スイッチ」の制御コマンドを送信することができる。この場合、ユーザは他の方法で図４に示される制御インタフェースに入り、他の制御機能を実行することもできる。
【００５４】
前述したスマートホームデバイスの制御方法の実施例に対応して、本発明は更にスマートホームデバイスの制御装置の実施例を提供する。
【００５５】
図７は一つの例示的な実施例にかかるスマートホームデバイスの制御装置のブロック図である。図７に示すように、該装置は、検出ユニット７１、判断ユニット７２及び開放ユニット７３を備えることができる。
【００５６】
ここで、検出ユニット７１は、スマートホームデバイスに対する制御権限を取得するためのユーザのトリガー操作を検出するように配置され、
判断ユニット７２は、所定の距離範囲内に関連のあるウェアラブルデバイスが存在するか否か判断をするように配置され、
開放ユニット７３は、判断した結果、所定の距離範囲内に関連のあるウェアラブルデバイスが存在すると判断される場合、前記スマートホームデバイスに対する制御権限を開放するように配置される。
【００５７】
好ましくは、前記ユーザのトリガー操作は、ユーザが端末のスクリーンに対するタッチ又はスライド操作であり、前記タッチ又はスライド操作のタッチポイントは、前記スマートホームデバイスに対応するトリガー範囲内のポイントを含む。
【００５８】
好ましくは、前記ユーザのトリガー操作は、ユーザが端末のロック・スクリーンに対するタッチ又はスライド操作であり、前記タッチ又はスライド操作のタッチポイントは、前記スマートホームデバイスに対応するトリガー範囲内のポイントを含む。
【００５９】
図８に示すように、図８は一つの例示的な実施例にかかる他のスマートホームデバイスの制御装置のブロック図であり、該実施例は前述した図７に示される実施例を基にしており、判断ユニット７２は、第１送信サブユニット７２１及び第１判断サブユニット７２２を有することができる。
【００６０】
ここで、第１送信サブユニット７２１は、送信パラメータが前記所定の距離範囲と対応するプローブ信号を送信するように配置され、
第１判断サブユニット７２２は、対応する応答信号を受信したか否かに基づいて、関連のあるウェアラブルデバイスが存在するか否かを判断するように配置され、ここで、対応する応答信号を受信した場合、前記応答信号の送信側を関連のあるウェアラブルデバイスとする。
【００６１】
図９に示すように、図９は一つの例示的な実施例にかかる他のスマートホームデバイスの制御装置のブロック図であり、該実施例は前述した図７に示す実施例を基にしており、判断ユニット７２は、第２送信サブユニット７２３及び第２判断サブユニット７２４を有することができる。
【００６２】
ここで、第２送信サブユニット７２３は、プローブ信号を送信し、
第２判断サブユニット７２４は、対応する応答信号を受信した場合、前記応答信号の強度が所定の範囲内にあるか否かを判断し、ここで、前記応答信号の強度が所定の範囲内にある場合、前記応答信号の送信側を関連のあるウェアラブルデバイスとする。
【００６３】
図１０に示すように、図１０は一つの例示的な実施例にかかる他のスマートホームデバイスの制御装置のブロック図であり、該実施例は前述した図７に示す実施例を基にしており、判断ユニット７２は、第３送信サブユニット７２５及び第３判断サブユニット７２６を有することができる。
【００６４】
第３送信サブユニット７２５は、送信パラメータが前記所定の距離範囲と対応する、プローブ信号を送信するように配置され、
第３判断サブユニット７２６は、対応する応答信号を受信した場合、前記応答信号に所定のデバイスＩＤが含まれているか否かに基づいて、前記応答信号の送信側が関連のあるウェアラブルデバイスであるか否かを判断するように配置され、ここで、前記応答信号に所定のデバイスＩＤが含まれている場合、前記応答信号の送信側を関連のあるウェアラブルデバイスとする。
【００６５】
説明しなければいけないのは、上述した図１０に示される装置実施例における権限開放サブユニット７３１の構造は前述した図９の装置実施例に含まれることも可能で、本発明はこれを限定しない。
【００６６】
図１１に示すように、図１１は一つの例示的な実施例にかかるスマートホームデバイスの制御装置のブロック図であり、該実施例は前述した図７に示す実施例を基にしており、開放ユニット７３は、権限開放サブユニット７３１を有することができる。
【００６７】
ここで、権限開放サブユニット７３１は、今回の制御操作が終了するまで、前記スマートホームデバイスに対する制御権限を開放するように配置される。
【００６８】
説明しなければいけないのは、上述した図１１に示される装置実施例における権限開放サブユニット７３１の構造は前述した図９−１０の装置実施例に含まれることも可能で、本発明はこれを限定しない。
【００６９】
図１２に示すように、図１２は一つの例示的な実施例にかかる他のスマートホームデバイスの制御装置のブロック図であり、該実施例は前述した図７に示される実施例を基にしており、該装置は、更にインタフェース切換ユニット７４を備えることができる。
【００７０】
ここで、インタフェース切換ユニット７４は、前記スマートホームデバイスに対する制御権限を開放した後、前記スマートホームデバイスの制御操作インタフェースに入るように配置される。
【００７１】
説明しなければいけないのは、上述した図１２に示される装置実施例におけるインタフェース切換ユニット７４の構造は前述した図８−１１の装置実施例に含まれることも可能で、本発明はこれを限定しない。
【００７２】
上述した実施例における装置に関しては、それぞれのモジュールが操作を実行する具体的な方法は既に関連のある実施例において詳細な説明を行っており、ここでは繰り返し説明しない。
【００７３】
装置実施例において、基本的に方法の実施例に対応するため、関連する部分は方法の実施例の一部説明を参照すればよい。以上に説明した装置実施例は例示的なものに過ぎず、分離部品として説明されるユニットは物理的に分離できるものであってもなくてもよい。ユニットとして表示される部品は物理的なユニットであってもなくてもよい。即ち、一箇所に位置することが可能で、または複数のネットワークユニットに分布されていてもよい。実際のニーズに基づいて、その中の一部または全部のモジュールを選択して本発明の技術案の目的を実現することができる。当業者は創造的な労働を経ずに、理解し実施することができる。
【００７４】
上記に対応して、本発明は更にスマートホームデバイスの制御装置を提供し、プロセッサ、及びプロセッサが実行可能なコマンドを記憶するためのメモリとを備え、前記プロセッサは、スマートホームデバイスに対する制御権限を取得するための、ユーザのトリガー操作を検出し、所定の距離範囲内に関連のあるウェアラブルデバイスが存在するか否かを判断し、所定の距離範囲内に関連のあるウェアラブルデバイスが存在すると判断される場合、前記スマートホームデバイスに対する制御権限を開放するように構成される。
【００７５】
上記に対応して、本発明は更に端末を提供し、前記端末は、メモリ、及び一つ又は一つ以上のプロセッサに実行されるメモリに記憶されている一つ又は一つ以上のプログラムを含む。前記プログラムは、スマートホームデバイスに対する制御権限を取得するための、ユーザのトリガー操作を検出し、所定の距離範囲内に関連のあるウェアラブルデバイスが存在するか否かを判断し、所定の距離範囲内に関連のあるウェアラブルデバイスが存在すると判断される場合、前記スマートホームデバイスに対する制御権限を開放する操作を行うためのコマンドを含む。
【００７６】
図１３は一つの例示的な実施例にかかるスマートホームデバイス制御のための装置１３００のブロック図である。例えば、装置１３００は、携帯電話、コンピューター、デジタル放送端末、メッセージ送受信デバイス、ゲームコンソール、タブレットデバイス、医療デバイス、フィットネス設備、パーソナルデジタルアシスタント等であってもよい。
【００７７】
図１３を参照して、装置１３００は、プロセス部材１３０２、メモリ１３０４、電源部材１３０６、マルチメディア部材１３０８、オーディオ部材１３１０、入出力（Ｉ／Ｏ）インターフェイス１３１２、センサ部材１３１４、及び通信部材１３１６のような一つ以上の部材を含んでよい。
【００７８】
プロセス部材１３０２は、一般的には装置１３００の全体の操作を制御するものであり、例えば、表示、電話呼び出し、データ通信、カメラ操作、及び記録操作と関連される操作を制御する。プロセス部材１３０２は、一つ以上のプロセッサ１３２０を含み、これらによって命令を実行することにより、上記の方法の全部、或いは一部のステップを実現するようにしてもよい。なお、プロセス部材１３０２は、一つ以上のモジュールを含み、これらによってプロセス部材１３０２と他の部材の間のインタラクションを容易にするようにしてもよい。例えば、プロセス部材１３０２は、マルチメディアモジュールを含み、これらによってマルチメディア部材１３０８とプロセス部材１３０２の間のインタラクションを容易にするようにしてもよい。
【００７９】
メモリ１３０４は、各種類のデータを記憶することにより装置１３００の操作を支援するように構成される。これらのデータの例は、装置１３００において操作されるいずれのアプリケーションプログラム又は方法の命令、連絡対象データ、電話帳データ、メッセージ、画像、ビデオ等を含む。メモリ１３０４は、いずれの種類の揮発性、不揮発性記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＰＲＯＭ（Ｐｒｏｇｒａｍｍａｂｌｅ  ＲＯＭ）、ＲＯＭ、磁気メモリ、フラッシュメモリ、磁気ディスク、或いは光ディスクである。
【００８０】
電源部材１３０６は、装置１３００の多様な部材に電力を供給する。電源部材１３０６は、電源管理システム、一つ以上の電源、及び装置１３００のための電力の生成、管理及び割り当てに関連される他の部材を含んでもよい。
【００８１】
マルチメディア部材１３０８は、前記装置１３００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或いはスライドの動作の境界だけでなく、前記のタッチ、或いはスライド操作に係る継続時間及び圧力も検出できる。上記の実施例において、マルチメディア部材１３０８は、一つのフロントカメラ、及び／又はリアカメラを含む。装置１３００が、例えば撮影モード、或いはビデオモード等の操作モードにある場合、フロントカメラ、及び／又はリアカメラは外部からマルチメディアデータを受信できる。フロントカメラとリアカメラのそれぞれは、一つの固定型の光レンズ系、或いは可変焦点距離と光学ズーム機能を有するものであってもよい。
【００８２】
オーディオ部材１３１０は、オーディオ信号を入出力するように構成されてもよい。例えば、オーディオ部材１３１０は、一つのマイク（ＭＩＣ）を含み、装置１３００が、例えば呼出しモード、記録モード、及び音声認識モード等の操作モードにある場合、マイクは外部のオーディオ信号を受信することができる。受信されたオーディオ信号は、さらにメモリ１３０４に記憶されたり、通信部材１３１６を介して送信されたりされる。上記の実施例において、オーディオ部材１３１０は、オーディオ信号を出力するための一つのスピーカーをさらに含む。
【００８３】
Ｉ／Ｏインターフェイス１３１２は、プロセス部材１３０２と周辺インターフェイスモジュールの間にインターフェイスを提供するものであり、上記周辺インターフェイスモジュールは、キーボード、クリックホイール、ボタン等であってもよい。これらのボタンは、ホームページボタン、ボリュームボタン、起動ボタン、ロッキングボタンを含んでもよいが、これらに限定されない。
【００８４】
センサ部材１３１４は、装置１３００に各方面の状態に対する評価を提供するための一つ以上のセンサを含む。例えば、センサ部材１３１４は、装置１３００のＯＮ／ＯＦＦ状態、装置１３００のディスプレイと小さなキーパッドのような部材の相対的な位置決めを検出できる。また、例えば、センサ部材１３１４は、装置１３００、或いは装置１３００の一つの部材の位置変更、ユーザと装置１３００とが接触しているか否か、装置１３００の方位、又は加速／減速、装置１３００の温度の変化を検出できる。センサ部材１３１４は、何れの物理的接触がない状態にて付近の物体の存在を検出するための近接センサを含んでもよい。センサ部材１３１４は、撮影アプリケーションに適用するため、ＣＭＯＳ、又はＣＣＤイメージセンサのような光センサを含んでもよい。上記の実施例において、当該センサ部材１３１４は、加速度センサ、ジャイロスコープセンサ、磁気センサ、圧力センサ、及び温度センサをさらに含んでもよい。
【００８５】
通信部材１３１６は、装置１３００と他の機器の間に有線、又は無線形態の通信を提供する。装置１３００は、例えばＷｉＦｉ（登録商標）、２Ｇ、３Ｇ、或いはこれらの組み合わせのような、通信規格に基づいた無線ネットワークに接続されてもよい。一つの例示的な実施例において、通信部材１３１６は、放送チャンネルを介して外部の放送管理システムからの放送信号、又は放送に関連される情報を受信する。一つの例示的な実施例において、前記通信部材１３１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  Ｉｄｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  ＷｉｄｅＢａｎｄ）技術、ＢＴ（Ｂｌｕｅｔｏｏｔｈ（登録商標））技術、他の技術に基づいて実現できる。
【００８６】
例示的な実施例において、装置１３００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【００８７】
例示的な実施例において、さらに、命令を含むコンピュータ読取り可能な非一時的な記録媒体、例えば命令を含むメモリ１３０４を提供しており、装置１３００のプロセッサ１３２０により上記命令を実行して上記方法を実現する。例えば、前記コンピュータ読取り可能な非一時的な記録媒体は、ＲＯＭ、ＲＡＭ、ＣＤ−ＲＯＭ、磁気テープ、フロッピーディスク、光データ記憶デバイス等である。
【００８８】
当業者は明細書を検討し、ここで開示した発明を実践した後、本発明のその他の実施方案を容易に思いつくことができる。本願は本発明の全ての変更、用途又は適応性の変化を含む。これらの変更、用途又は適応性の変化は本発明の一般的な原理に基づいており、本発明に未開示の本技術分野における周知技術又は慣用技術手段を含む。明細書及び実施例は例示的なものに過ぎず、本発明の真の範囲及び主旨は以下の特許請求の範囲によって示される。
【００８９】
本発明は、上記で説明した、また図面において示した寸分違わぬ構成に限定されず、その範囲を逸脱しない前提のもとで種々の変更及び修正を行うことができることを理解すべきである。本発明の範囲は付された特許請求の範囲によってのみ限定される。 
【図１】
0006353603.tif 000002
【図２】
0006353603.tif 000003
【図３】
0006353603.tif 000004
【図４】
0006353603.tif 000005
【図５】
0006353603.tif 000006
【図６】
0006353603.tif 000007
【図７】
0006353603.tif 000008
【図８】
0006353603.tif 000009
【図９】
0006353603.tif 000010
【図１０】
0006353603.tif 000011
【図１１】
0006353603.tif 000012
【図１２】
0006353603.tif 000013
【図１３】
0006353603.tif 000014